(57)【要約】【課題】受信したＴＶ信号をＭＰＥＧ２データに変換しつつ、Ｄ−ＶＨＳデッキなど他の１３９４ＡＶ機器に送信できる送信装置、記録媒体、及び情報集合体を提供する。【解決手段】受信ブロック３０３と、送信ブロック３０４とは互いに独立して動作が可能であるようにし、前記受信ブロック３０３の動作を開始し、記録手段１０５に所定量の前記ＭＰＥＧ２プログラムストリームデータがたまった後に、前記送信ブロック３０４の動作を開始するようにした。【選択図】　　　図１
2004023558.tif 000002
【特許請求の範囲】
【請求項１】
ＴＶ信号を受信しＭＰＥＧ２プログラムストリームデータに変換する受信ブロックと、
該受信ブロックにより変換されたＭＰＥＧ２プログラムストリームデータを記憶する記憶手段と、
該記憶手段から読み出したＭＰＥＧ２プログラムストリームデータから映像部分と音声部分とを分離するＭＰＥＧ２スプリッタを有し、該ＭＰＥＧ２スプリッタにより分離されたＭＰＥＧ２映像プログラムストリームデータとＭＰＥＧ２音声プログラムストリームデータとを伝送パケットデータに変換し、伝送バスに出力する送信ブロックとを備え、
前記受信ブロックと前記送信ブロックとは互いに独立して動作し、
該送信ブロックは前記記憶手段に所定量のＭＰＥＧ２プログラムストリームデータが蓄積した後に読み出しを行う、
ことを特徴とする送信装置。
【請求項２】
ストリームデータを記憶する記憶手段と、
ＴＶ信号を受信し、ＴＶ映像信号とＴＶ音声信号とに分離して出力するＴＶチューナと、
前記ＴＶ映像信号を受け取り、ビットマップ映像信号として出力する映像取り込み手段と、
前記ＴＶ音声信号を受け取り、サンプリング音声信号として出力する音声取り込み手段と、
前記ビットマップ映像信号と、前記サンプリング音声信号とを受け取り、ＭＰＥＧ２プログラムストリームデータに変換し出力するＭＰＥＧ２符号化手段と、
前記ＭＰＥＧ２プログラムストリームデータを、前記記憶手段に記録するデータ書き込み手段とを備えた受信ブロックと、
前記記憶手段に記憶されている前記ＭＰＥＧ２プログラムストリームデータを取り出し出力するデータ読み出し手段と、
受け取った前記ＭＰＥＧ２プログラムストリームデータの映像部分を、ＭＰＥＧ２映像プログラムストリームデータとして出力し、かつ前記ＭＰＥＧ２プログラムストリームデータの音声部分を、ＭＰＥＧ２音声プログラムストリームデータとして出力するＭＰＥＧ２スプリッタと、
前記ＭＰＥＧ２映像プログラムストリームデータと、前記ＭＰＥＧ２音声プログラムストリームデータとを受け取り、ＭＰＥＧ２トランスポートストリームデータに変換し、出力するＭＰＥＧ２ＴＳ変換手段と、
前記ＭＰＥＧ２トランスポートストリームデータを、伝送パケットデータに変換し、伝送バスに出力するバス送信手段とを備えた送信ブロックとを備えた、
ことを特徴とする送信装置。
【請求項３】
請求項２記載の送信装置において、
前記受信ブロックと、前記送信ブロックとは互いに独立して動作が可能であり、
前記受信ブロックがその動作を開始し、前記記憶手段に所定量の前記ＭＰＥＧ２プログラムストリームデータが記憶された後に、前記送信ブロックの動作を開始する、
ことを特徴とする送信装置。
【請求項４】
請求項１または２記載の送信装置において、
前記伝送バスはＩＥＥＥ１３９４バスであり、前記伝送パケットデータはアイソクロナスパケットデータである、
ことを特徴とする送信装置。
【請求項５】
請求項２記載の送信装置において、
前記ＭＰＥＧ２ＴＳ変換手段は、前記ＭＰＥＧ２トランスポートストリームデータとともにＩＥＣ６１８８３規格におけるタイムスタンプ情報を作成し、前記ＭＰＥＧ２トランスポートストリームデータに付加して出力する、
ことを特徴とする送信装置。
【請求項６】
請求項２記載の送信装置において、
前記ＴＶチューナは、前記ＴＶ信号に代えて、外部機器からのアナログ映像音声信号を受信する、
ことを特徴とする送信装置。
【請求項７】
ストリームデータを記憶する記憶手段と、
ＴＶ信号を受信し、ＴＶ映像信号とＴＶ音声信号に分離して出力するＴＶチューナと、
前記ＴＶ映像信号を受け取り、ビットマップ映像信号として出力する映像取り込み手段と、
前記ＴＶ音声信号を受け取り、サンプリング音声信号として出力する音声取り込み手段と、
前記ビットマップ映像信号と、前記サンプリング音声信号とを受け取り、ＭＰＥＧ２プログラムストリームデータに変換し出力するＭＰＥＧ２符号化手段と、
前記ＭＰＥＧ２プログラムストリームデータを、前記記憶手段に記憶するデータ書き込み手段と、
前記ビットマップ映像信号を、映像信号として再生する映像再生手段と、
前記ＴＶ音声信号を、音声信号として再生する音声再生手段とを備えた受信ブロックと、
前記記憶手段に記憶されている前記ＭＰＥＧ２プログラムストリームデータを取り出し出力するデータ読み出し手段と、
受け取った前記ＭＰＥＧ２プログラムストリームデータの映像部分を、ＭＰＥＧ２映像プログラムストリームデータとして出力し、かつ前記ＭＰＥＧ２プログラムストリームデータの音声部分を、ＭＰＥＧ２音声プログラムストリームデータとして出力するＭＰＥＧ２スプリッタと、
前記ＭＰＥＧ２映像プログラムストリームデータと、前記ＭＰＥＧ２音声プログラムストリームデータとを受け取り、ＭＰＥＧ２トランスポートストリームデータに変換し、出力するＭＰＥＧ２ＴＳ変換手段と、
前記ＭＰＥＧ２トランスポートストリームデータを、伝送パケットデータに変換し、伝送バスに出力するバス送信手段とを備えた送信ブロックとを備えた、
ことを特徴とする送信装置。
【請求項８】
請求項７記載の送信装置において、
前記受信ブロックと、前記送信ブロックとは互いに独立して動作が可能であり、
前記受信ブロックがその動作を開始し、前記記憶手段に所定量の前記ＭＰＥＧ２プログラムストリームデータが蓄積された後に、前記送信ブロックの動作を開始する、
ことを特徴とする送信装置。
【請求項９】
請求項７記載の送信装置において、
前記伝送バスはＩＥＥＥ１３９４バスであり、前記伝送パケットデータはアイソクロナスパケットデータである、
ことを特徴とする送信装置。
【請求項１０】
請求項７記載の送信装置において、
前記ＭＰＥＧ２ＴＳ変換手段は、前記ＭＰＥＧ２トランスポートストリームデータに加えてＩＥＣ６１８８３規格におけるタイムスタンプ情報をも作成し、前記ＭＰＥＧ２トランスポートストリームデータに付加して出力する、
ことを特徴とする送信装置。
【請求項１１】
請求項７記載の送信装置において、
前記ＴＶチューナは、前記ＴＶ信号に代えて、外部機器からのアナログ映像音声信号を受信する、
ことを特徴とする送信装置。
【請求項１２】
請求項１ないし１１のいずれかに記載の送信装置の機能をコンピュータにより実行させるためのプログラム及び／またはデータを担持した記録媒体であって、コンピュータにより処理可能なものである、
ことを特徴とする記録媒体。
【請求項１３】
請求項１ないし１１のいずれかに記載の送信装置の機能をコンピュータにより実行させるためのプログラム及び／またはデータである、
ことを特徴とする情報集合体。
【発明の詳細な説明】
【０００１】
【発明の属する技術分野】
本発明は、送信装置、記録媒体、及び情報集合体に関し、特にＴＶチューナなどから入力された映像音声信号を、ＭＰＥＧ２データに変換しつつ、Ｄ−ＶＨＳデッキなどの記録装置に対して送信処理を行えるようにしたものに関するものである。
【０００２】
【従来の技術】
ＬＳＩ技術の向上に伴って映像情報や音声情報をディジタル化して伝送するネットワークが開発されつつある。映像信号や音声信号はリアルタイムで再生される必要があるため、リアルタイム伝送が可能なネットワークが必要となる。
このようなリアルタイム伝送に適したネットワークとしてＩＥＥＥ１３９４というネットワークがある。ＩＥＥＥ１３９４はシリアルの高速バスシステムで、データを同期伝送できるため、リアルタイム伝送が可能である。
【０００３】
ＩＥＥＥ１３９４は、衛星放送などからＭＰＥＧ２データを受信するＳｅｔ　Ｔｏｐ　Ｂｏｘ（ＳＴＢ）や、ＭＰＥＧ２データの記録再生を行うＤ−ＶＨＳデッキなど、多くのディジタル映像音声機器に外部接続用インタフェースとして搭載することができる。例えば、ＩＥＥＥ１３９４を用いることにより、ＳＴＢで受信したＭＰＥＧ２データをＤ−ＶＨＳデッキに送信、記録することができる。このＩＥＥＥ１３９４を用いてＭＰＥＧ２などのＡＶデータを伝送するための規格としてＩＥＣ６１８８３が制定されている。
一方、パーソナルコンピュータ（以下、ＰＣと称す）においても、ＩＥＥＥ１３９４を標準で搭載しているものが増えてきている。
【０００４】
また、ＰＣのＡＶ機能はますます強化されてきており、それとともにＯＳにもそうしたＡＶ機能を簡単に取り扱えるようにする機能が付加されている。Ｍｉｃｒｏｓｏｆｔ社のＷｉｎｄｏｗｓ（登録商標）ＯＳでは、ＰＣ上でＡＶ機能を取り扱うためのＡＰＩ（Ａｐｐｌｉｃａｔｉｏｎ　Ｐｒｏｇｒａｍ　Ｉｎｔｅｒｆａｃｅ）環境として、ＤｉｒｅｃｔＳｈｏｗ　ＡＰＩ（以下、単にＤｉｒｅｃｔＳｈｏｗと称す）が用意されている。このＤｉｒｅｃｔＳｈｏｗにおいては、例えばファイルを読み出す、信号処理を行う、あるいは外部バスにデータを送信する、といった単一もしくは複数の機能を持つフィルタと呼ばれる（ソフトウエア）モジュールを組み合わせて、ある一連の動作を行うようになっている。また、フィルタは必要に応じて自由に接続したり、取り外せるようになっている。
このフィルタは、ＯＳに標準で添付されているものもあり、またいわゆるサードパーティ（Ｔｈｉｒｄ　Ｐａｒｔｙ）が後で組み込めるようにもなっている。
【０００５】
さて、ハードディスクに記録されているＭＰＥＧ２プログラムストリームデータ（以下、ＭＰＥＧ２ＰＳデータと称す）を、ＭＰＥＧ２トランスポートストリームデータ（以下、ＭＰＥＧ２ＴＳデータと称す）に変換し、Ｄ−ＶＨＳデッキにＭＰＥＧ２ＴＳデータを送信する、従来の送信装置としてのＰＣの一例について、図３を用いて説明する。
【０００６】
図３において、１０１はファイル読み出し部、１０２はＭＰＥＧ２スプリッタ、１０３はＭＰＥＧ２ＴＳ変換部、１０４はＩＥＥＥ１３９４送信部、１０５はハードディスク、１０６はＩＥＥＥ１３９４バス、１０７はＰＣ、１０８はＤ−ＶＨＳデッキ、１０９はＭＰＥＧ２ＰＳデータ、１１０はＭＰＥＧ２ＰＳ映像データ、１１１はＭＰＥＧ２ＰＳ音声データ、１１２はＭＰＥＧ２ＴＳデータ、１１３はアイソクロナスパケットデータである。
【０００７】
ハードディスク１０５には、ＭＰＥＧ２ＰＳデータ１０９が記録されており、ファイル読み出し部１０１は、ハードディスク１０５に記録されているＭＰＥＧ２ＰＳデータ１０９を読み出し、ＭＰＥＧ２スプリッタ１０２に出力する。
【０００８】
ＭＰＥＧ２スプリッタ１０２は、受け取ったＭＰＥＧ２ＰＳデータ１０９から映像部分に相当するＭＰＥＧ２ＰＳ映像データ１１０と、音声部分に相当するＭＰＥＧ２ＰＳ音声データ１１１とを取り出し、ＭＰＥＧ２ＴＳ変換部１０３に出力する。
【０００９】
ＭＰＥＧ２ＴＳ変換部１０３は、受け取ったＭＰＥＧ２ＰＳ映像データ１１０とＭＰＥＧ２ＰＳ音声データ１１１とを、ＭＰＥＧ２ＴＳデータ１１２に変換する。このとき出力されるＭＰＥＧ２ＴＳデータ１１２には、例えば特願２０００−３９９３０４号で提案されている方法などを用いて、ＩＥＣ６１８８３−４で規定されるタイムスタンプが付加される。
【００１０】
最後に、ＩＥＥＥ１３９４送信部１０４は、ＭＰＥＧ２ＴＳデータ１１２をアイソクロナスパケットデータ１１３に変換し、ＩＥＥＥ１３９４バス１０６を通してＤ−ＶＨＳデッキ１０８に伝送する。
【００１１】
以上のようにして、ＰＣからＤ−ＶＨＳデッキにＭＰＥＧ２ＴＳデータを送信することができる。
また、一方では、ＰＣのＡＶ機器化に伴って、例えばＴＶチューナを搭載し、ＰＣの画面上でＴＶを視聴できるものも増えてきている。
【００１２】
以下、ＴＶチューナを搭載し、モニタ画面上でＴＶを視聴できるＰＣの一例について図４を用いて説明する。
図４において、２０１はＴＶチューナ、２０２は映像取り込み部、２０３は映像再生部、２０４は音声再生部、２０５はＰＣ、２０６はアンテナ、２０７はモニタ、２０８はスピーカ、２０９はＴＶ信号、２１０はＴＶ映像信号、２１１はＴＶ音声信号、２１２はビットマップ映像信号、２１３は映像信号、２１４は音声信号である。
【００１３】
まず、ＴＶチューナ２０１は、アンテナ２０６を通して受信したＴＶ信号２０９から必要なチャンネルを選局し、その映像部分と音声部分とをそれぞれＴＶ映像信号２１０、ＴＶ音声信号２１１として出力する。
このうち、映像取り込み部２０２は、受け取ったＴＶ映像信号２１０をディジタル化し、ビットマップ形式の映像であるビットマップ映像信号２１２として出力する。
【００１４】
さらに、映像再生部２０３は、受け取ったビットマップ映像信号２１２を、例えばＶＧＡ形式の映像信号２１３としてモニタ２０７に出力する。このとき、映像信号２１３には、ビットマップ映像信号２１２で表される映像だけの場合もあり、他の映像が含まれている場合もある。
また、音声再生部２０４は、受け取ったＴＶ音声信号２１１を、例えばアナログ音声などの音声信号２１４としてスピーカ２０８に出力する。
【００１５】
以上のようにして、ＰＣの画面上でＴＶを視聴することが可能となる。ＴＶチューナ２０１は、ＴＶ信号２０９の代わりに、例えばＶＴＲなどから映像音声信号を入力することもある。この場合でも、同様の動作で、ＰＣの画面上でＶＴＲが出力する映像音声信号を視聴することができる。
【００１６】
【発明が解決しようとする課題】
ところで、Ｗｉｎｄｏｗｓ（登録商標）ＯＳにおいては、例えば図３のファイル読み出し部１０１、ＭＰＥＧ２スプリッタ１０２、ＭＰＥＧ２ＴＳ変換部１０３、およびＩＥＥＥ１３９４送信部１０４は、ＤｉｒｅｃｔＳｈｏｗのフィルタとして実装されている。中でもＭＰＥＧ２スプリッタ１０２は、Ｗｉｎｄｏｗｓ（登録商標）ＯＳに標準で添付されており、アプリケーション開発者は自由にこれらを使うことができる。これにより開発の負担を減らすことができるようになっている。
【００１７】
このＭＰＥＧ２スプリッタ１０２の特徴として、入力側に別のフィルタが接続されたときに、データ内容を調べるために所定量のデータを、接続されるフィルタに要求するようになっている。
図３のように、ファイル読み出し部１０１がＭＰＥＧ２スプリッタ１０２の入力側に接続される場合には、ファイル読み出し部１０１は要求された分のデータをハードディスク１０５から取り出せばよい。
【００１８】
しかしながら、例えば図４のＴＶチューナ２０１は、リアルタイムでデータを出力するフィルタと見なすことができるが、この種のフィルタは、フィルタが処理を実行中で、かつ自分のところで出力できるデータがたまったときにだけデータを出力するようになっている。このため後続のフィルタから接続時にデータを要求されても、こうしたフィルタはそれに対応することができなかった。
【００１９】
つまり、例えばＴＶチューナ２０１の出力をＭＰＥＧ２ＰＳデータに変換しても、変換後のＭＰＥＧ２ＰＳデータを直接ＭＰＥＧ２スプリッタ１０２に接続することができないという問題があった。
【００２０】
本発明は、このような従来の問題点に鑑みてなされたもので、受信したＴＶ信号をＭＰＥＧ２データに変換しつつ、Ｄ−ＶＨＳデッキなど他の１３９４ＡＶ機器にこれを送信することのできる送信装置、記録媒体、及び情報集合体を提供することを目的とする。
【００２１】
【課題を解決するための手段】
上述した課題を解決するために、本発明（請求項１）は、ＴＶ信号を受信しＭＰＥＧ２プログラムストリームデータに変換する受信ブロックと、該受信ブロックにより変換されたＭＰＥＧ２プログラムストリームデータを記憶する記憶手段と、該記憶手段から読み出したＭＰＥＧ２プログラムストリームデータから映像部分と音声部分とを分離するＭＰＥＧ２スプリッタを有し、該ＭＰＥＧ２スプリッタにより分離されたＭＰＥＧ２映像プログラムストリームデータとＭＰＥＧ２音声プログラムストリームデータとを伝送パケットデータに変換し、伝送バスに出力する送信ブロックとを備え、前記受信ブロックと前記送信ブロックとは互いに独立して動作し、該送信ブロックは前記記憶手段に所定量のＭＰＥＧ２プログラムストリームデータが蓄積した後に読み出しを行う、ようにしたものである。
【００２２】
また、本発明（請求項２）は、ストリームデータを記憶する記憶手段と、ＴＶ信号を受信し、ＴＶ映像信号とＴＶ音声信号とに分離して出力するＴＶチューナと、前記ＴＶ映像信号を受け取り、ビットマップ映像信号として出力する映像取り込み手段と、前記ＴＶ音声信号を受け取り、サンプリング音声信号として出力する音声取り込み手段と、前記ビットマップ映像信号と前記サンプリング音声信号を受け取り、ＭＰＥＧ２プログラムストリームデータに変換し出力するＭＰＥＧ２符号化手段と、前記ＭＰＥＧ２プログラムストリームデータを、前記記憶手段に記録するデータ書き込み手段とを備えた受信ブロックと、前記記憶手段に記憶されている前記ＭＰＥＧ２プログラムストリームデータを取り出し出力するデータ読み出し手段と、受け取った前記ＭＰＥＧ２プログラムストリームデータの映像部分を、ＭＰＥＧ２映像プログラムストリームデータとして出力し、かつ前記ＭＰＥＧ２プログラムストリームデータの音声部分を、ＭＰＥＧ２音声プログラムストリームデータとして出力するＭＰＥＧ２スプリッタと、前記ＭＰＥＧ２映像プログラムストリームデータと、前記ＭＰＥＧ２音声プログラムストリームデータとを受け取り、ＭＰＥＧ２トランスポートストリームデータに変換し、出力するＭＰＥＧ２ＴＳ変換手段と、前記ＭＰＥＧ２トランスポートストリームデータを伝送パケットデータに変換し、伝送バスに出力するバス送信手段とを備えた送信ブロックとを備えるものである。
【００２３】
また、本発明（請求項３）は、請求項２記載の送信装置において、前記受信ブロックと、前記送信ブロックとは互いに独立して動作が可能であり、前記受信ブロックの動作を開始し、前記記憶手段に所定量の前記ＭＰＥＧ２プログラムストリームデータが記憶された後に前記送信ブロックの動作を開始するものである。
【００２４】
また、本発明（請求項４）は、請求項１または２記載の送信装置において、前記伝送バスはＩＥＥＥ１３９４バスであり、前記伝送パケットデータはアイソクロナスパケットデータであるものである。
【００２５】
また、本発明（請求項５）は、請求項２記載の送信装置において、前記ＭＰＥＧ２ＴＳ変換手段は、前記ＭＰＥＧ２トランスポートストリームデータとともにＩＥＣ６１８８３規格におけるタイムスタンプ情報を作成し、前記ＭＰＥＧ２トランスポートストリームデータに付加して出力するものである。
【００２６】
また、本発明（請求項６）は、請求項２記載の送信装置において、前記ＴＶチューナは、前記ＴＶ信号に代えて、外部機器からのアナログ映像音声信号を受信するものである。
【００２７】
また、本発明（請求項７）は、ストリームデータを記憶する記憶手段と、ＴＶ信号を受信し、ＴＶ映像信号とＴＶ音声信号とに分離して出力するＴＶチューナと、前記ＴＶ映像信号を受け取り、ビットマップ映像信号として出力する映像取り込み手段と、前記ＴＶ音声信号を受け取り、サンプリング音声信号として出力する音声取り込み手段と、前記ビットマップ映像信号と前記サンプリング音声信号を受け取り、ＭＰＥＧ２プログラムストリームデータに変換し出力するＭＰＥＧ２符号化手段と、前記ＭＰＥＧ２プログラムストリームデータを前記記憶手段に記憶するデータ書き込み手段と、前記ビットマップ映像信号を映像信号として再生する映像再生手段と、前記ＴＶ音声信号を音声信号として再生する音声再生手段とを備えた受信ブロックと、前記記憶手段に記憶されている前記ＭＰＥＧ２プログラムストリームデータを取り出し出力するデータ読み出し手段と、受け取った前記ＭＰＥＧ２プログラムストリームデータの映像部分をＭＰＥＧ２映像プログラムストリームデータとして出力し、かつ前記ＭＰＥＧ２プログラムストリームデータの音声部分をＭＰＥＧ２音声プログラムストリームデータとして出力するＭＰＥＧ２スプリッタと、前記ＭＰＥＧ２映像プログラムストリームデータと、前記ＭＰＥＧ２音声プログラムストリームデータとを受け取り、ＭＰＥＧ２トランスポートストリームデータに変換し、出力するＭＰＥＧ２ＴＳ変換手段と、前記ＭＰＥＧ２トランスポートストリームデータを伝送パケットデータに変換し、伝送バスに出力するバス送信手段とを備えた送信ブロックとを備えるものである。
【００２８】
また、本発明（請求項８）は、請求項７記載の送信装置において、前記受信ブロックと、前記送信ブロックとは互いに独立して動作が可能であり、前記受信ブロックがその動作を開始し、前記記憶手段に所定量の前記ＭＰＥＧ２プログラムストリームデータが蓄積された後に、前記送信ブロックの動作を開始するものである。
【００２９】
また、本発明（請求項９）は、請求項７記載の送信装置において、前記伝送バスはＩＥＥＥ１３９４バスであり、前記伝送パケットデータはアイソクロナスパケットデータであるものである。
【００３０】
また、本発明（請求項１０）は、請求項７記載の送信装置において、前記ＭＰＥＧ２ＴＳ変換手段は、前記ＭＰＥＧ２トランスポートストリームデータとともにＩＥＣ６１８８３規格におけるタイムスタンプ情報を作成し、前記ＭＰＥＧ２トランスポートストリームデータに付加して出力するものである。
【００３１】
また、本発明（請求項１１）は、請求項７記載の送信装置において、前記ＴＶチューナは、前記ＴＶ信号に代えて、外部機器からのアナログ映像音声信号を受信するものである。
【００３２】
また、本発明（請求項１２）は、請求項１ないし１１のいずれかに記載の送信装置の機能をコンピュータにより実行させるためのプログラム及び／またはデータを担持した記録媒体であるものである。
【００３３】
また、本発明（請求項１３）は、請求項１ないし１１のいずれかに記載の送信装置の機能をコンピュータにより実行させるためのプログラム及び／またはデータである情報集合体であるものである。
【００３４】
【発明の実施の形態】
以下に、本発明の実施の形態による送信装置、記録媒体、及び情報集合体について、図面を参照して説明する。
【００３５】
（実施の形態１）
この実施の形態１は、受信ブロックと送信ブロックとの間に記憶手段を設けることで、受信ブロックと送信ブロックとを互いに独立して動作が可能であるものとし、さらに、記憶手段にある程度のデータが蓄積した段階で、送信ブロックが動作するようにして、受信したＴＶ信号をＭＰＥＧ２データに変換しつつ、他の１３９４ＡＶ機器にこれを送信することが実現できるようにしたものである。
【００３６】
以下に、本発明の実施の形態１について、図１を用いて説明する。
図１は、本発明の実施の形態１による送信装置の一例を示す図である。
図１において、図３および図４と同一符号は同一または相当する機能を有するものである。３０１はＭＰＥＧ２エンコーダ、３０２はファイル書き込み部、３０３は受信ブロックであり、前記ＭＰＥＧ２エンコーダ３０１およびファイル書き込み部３０２の他、図４と同様のＴＶチューナ２０１、映像取り込み部２０２に加え、音声取り込み部３０７をも有している。３０４は送信ブロックであり、図３と同様のファイル読み出し部１０１、ＭＰＥＧ２スプリッタ１０２、ＭＰＥＧ２ＴＳ変換部１０３、ＩＥＥＥ１３９４送信部１０４を有している。３０５はサンプリング音声信号、３０６はＰＣ、３０７は音声取り込み部である。また１０５はハードディスク（記憶手段）であり、受信ブロック３０３と送信ブロック３０４との間で共有されている。
【００３７】
ここで、受信ブロック３０３と、送信ブロック３０４とは互いに独立に動作させることができ、例えば受信ブロック３０３は動作しているが、送信ブロック３０４は動作しないようにすることが可能である。
【００３８】
これは、受信ブロック３０３のＭＰＥＧ２エンコーダ３０１が出力したＭＰＥＧ２ＰＳデータ１０９をバッファリングすることで、即ち、ＭＰＥＧ２ＰＳデータ１０９をいったんハードディスク１０５に書き込み、ハードディスク１０５から読み出したＭＰＥＧ２ＰＳデータ１０９を送信ブロック３０４のＭＰＥＧ２スプリッタ１０２に供給することで、可能となっている。
【００３９】
まず最初にＴＶ信号を受信し、ＭＰＥＧ２圧縮を行い、ファイルに記録する受信ブロック３０３の動作について説明する。
従来の技術で説明したように、ＴＶチューナ２０１は、アンテナ２０６を通して受信したＴＶ信号２０９から必要なチャンネルを選局し、その映像部分と音声部分とをそれぞれＴＶ映像信号２１０、ＴＶ音声信号２１１として出力する。
【００４０】
また、映像取り込み部２０２は、受け取ったＴＶ映像信号２１０をディジタル化し、ビットマップ形式の映像であるビットマップ映像信号２１２として出力する。
【００４１】
また、音声取り込み部３０７は、受け取ったＴＶ音声信号２１１をディジタル化し、ＷＡＶＥ　ＦＯＲＭＡＴ形式のサンプリング音声信号３０５として出力する。
【００４２】
また、ＭＰＥＧ２エンコーダ３０１は、受け取ったビットマップ映像信号２１２およびサンプリング音声信号３０５を、ＭＰＥＧ２ＰＳ形式のデータに圧縮し、ＭＰＥＧ２ＰＳデータ１０９として出力する。
【００４３】
最後に、ファイル書き込み部３０２は、受け取ったＭＰＥＧ２ＰＳデータ１０９をハードディスク（記憶手段）１０５に記録する。
【００４４】
次に、Ｄ−ＶＨＳデッキ１０８にＭＰＥＧ２データを送信する送信ブロック３０４の動作は、従来の技術で説明した通りである。ただし、送信ブロック３０４は、ハードディスク１０５上に、ある程度のＭＰＥＧ２ＰＳデータ１０９がたまってから、ファイル読み出し部１０１とＭＰＥＧ２スプリッタ１０２とを接続し、その後動作を開始するようにする。この制御動作は、例えばＷｉｎｄｏｗｓ（登録商標）ＯＳの機能の一部により実現されている。
【００４５】
このことにより、ＭＰＥＧ２スプリッタ１０２が接続時にデータを要求しても、ファイル読み出し部１０１はデータを出力することができ、問題なくファイル読み出し部１０１とＭＰＥＧ２スプリッタ１０２とを接続することができる。
【００４６】
以上のようにして、受信したＴＶ信号２０９を逐次ＭＰＥＧ２ＴＳデータ１１２に変換しつつ、同時にＤ−ＶＨＳデッキ１０８にＭＰＥＧ２ＴＳデータ１１２を送信することが可能となる。
なお、ＴＶチューナ２０１は、ＴＶ信号２０９の代わりに、ＶＴＲなどから別の映像音声信号を受信しても構わない。
【００４７】
また、ＴＶチューナ２０１は、単体のモジュールに限るものではなく、複数個のモジュールで構成されていても構わないし、ＴＶチューナ２０１、映像取り込み部２０２、音声取り込み部３０７、およびＭＰＥＧ２エンコーダ３０１が１個のモジュールで構成されていてもよい。要するに同様の動作をしていれば、モジュールの数や形態はどのようなものであってもよい。
また、アイソクロナスパケットデータ１１３の送信先は、Ｄ−ＶＨＳデッキに限らず、ＭＰＥＧ２ＴＳデータを受信できる機器であればよい。
【００４８】
また、本発明の送信装置の機能をコンピュータにより実行させるためのプログラム及び／またはデータを担持した媒体であって、コンピュータにより処理可能な媒体も本発明に属する。
また、本発明の送信装置の機能をコンピュータにより実行させるためのプログラム及び／またはデータである情報集合体も本発明に属する。
【００４９】
このように、本発明の実施の形態１によれば、受信ブロック３０３と送信ブロック３０４とは互いに独立して動作が可能になるようにし、前記受信ブロック３０３の動作を開始し、記録手段１０５に所定量の前記ＭＰＥＧ２プログラムストリームデータがたまった後に前記送信ブロック３０４の動作を開始するようにしたから、ＰＣに装備されているＷｉｎｄｏｗｓ（登録商標）ＯＳのフィルタとして実装されているＭＰＥＧ２スプリッタ１０２を用いて、ＴＶ信号をＭＰＥＧ２データに変換しつつ、Ｄ−ＶＨＳデッキなど他の１３９４ＡＶ機器に送信できる送信装置を提供することができる。また、この送信装置に相当する機能を実現可能とするための記録媒体、及び情報集合体を提供できる。
【００５０】
（実施の形態２）
この実施の形態２は、実施の形態１の受信ブロック自体で、再生映像信号および再生音声信号の出力を行えるようにすることで、受信したＴＶ信号を逐次ＭＰＥＧ２ＴＳデータに変換しつつ、同時にＤ−ＶＨＳデッキにＭＰＥＧ２ＴＳデータを送信することが可能となり、さらにＰＣの画面上で、受信したＴＶ信号を視聴できるようにしたものである。
【００５１】
以下に、本発明の実施の形態２について、図２を用いて説明する。
図２は、本発明の実施の形態２による図１の送信装置における受信ブロックの別の一例を示す図である。
図２において、４０１は受信ブロックであり、図１と同様のＴＶチューナ２０１、映像取り込み部２０２、音声取り込み部３０７、ＭＰＥＧ２エンコーダ３０１、ファイル書き込み部３０２の他、映像再生部２０３および音声再生部２０４をも有している。
【００５２】
この受信ブロック４０１において、上記実施の形態１と同様に、ＴＶチューナ２０１は、アンテナ２０６を通して受信したＴＶ信号２０９から必要なチャンネルを選局し、その映像部分と音声部分をそれぞれＴＶ映像信号２１０、ＴＶ音声信号２１１として出力する。
【００５３】
映像取り込み部２０２は、受け取ったＴＶ映像信号２１０をディジタル化し、ビットマップ形式の映像であるビットマップ映像信号２１２ａ、およびビットマップ映像信号２１２ｂとして出力する。ビットマップ映像信号２１２ａとビットマップ映像信号２１２ｂとは同一の信号であってもよいし、例えば解像度や映像形式（ＲＧＢ形式やＹＵＶ形式など）が異なる信号であってもよい。
音声取り込み部３０７は、受け取ったＴＶ音声信号２１１をディジタル化し、ＷＡＶＥ　ＦＯＲＭＡＴ形式のサンプリング音声信号３０５として出力する。
【００５４】
ＭＰＥＧ２エンコーダ３０１は、受け取ったビットマップ映像信号２１２ｂおよびサンプリング音声信号３０５をＭＰＥＧ２ＰＳ形式のデータに圧縮し、ＭＰＥＧ２ＰＳデータ１０９として出力する。
【００５５】
ファイル書き込み部３０２は、受け取ったＭＰＥＧ２ＰＳデータ１０９をハードディスク１０５に記録する。
【００５６】
映像再生部２０３は、受け取ったビットマップ映像信号２１２ａを、従来の技術と同様、例えばＶＧＡ形式の映像信号２１３としてモニタ２０７に出力する。このとき映像信号２１３には、ビットマップ映像信号２１２で表される映像だけの場合もあり、他の映像が含まれている場合もある。
また音声再生部２０４は、受け取ったＴＶ音声信号２１１を、例えばアナログ音声などの音声信号２１４としてスピーカ２０８に出力する。
送信ブロック３０４の動作は、実施の形態１と同様である。
【００５７】
以上のようにして、受信したＴＶ信号２０９を逐次ＭＰＥＧ２ＴＳデータ１１２に変換しつつ、同時にＤ−ＶＨＳデッキ１０８にＭＰＥＧ２ＴＳデータ１１２を送信することが可能となり、さらにＰＣの画面上で、受信したＴＶ信号を視聴することが可能となる。
【００５８】
なお、ＴＶチューナ２０１は、ＴＶ信号２０９の代わりに、ＶＴＲなどから別の映像音声信号を受信してもよい。
また、ＴＶチューナ２０１は、複数個のモジュールで構成されていても構わないし、ＴＶチューナ２０１、映像取り込み部２０２、音声取り込み部３０７、およびＭＰＥＧ２エンコーダ３０１とが１個のモジュールで構成されていても構わない。要するに同様の動作をしていれば、モジュールの数や形態はどのようなものであってもよい。
また、アイソクロナスパケットデータ１１３の送信先は、Ｄ−ＶＨＳデッキに限らず、ＭＰＥＧ２ＴＳデータを受信できる機器であればよい。
【００５９】
さらに、本発明の送信装置の機能をコンピュータにより実行させるためのプログラム及び／またはデータを担持した記録媒体であって、コンピュータにより処理可能なことを特徴とする記録媒体も本発明に属する。
また、本発明の送信装置の機能をコンピュータにより実行させるためのプログラム及び／またはデータであることを特徴とする情報集合体も本発明に属する。
【００６０】
このように本発明の実施の形態２によれば、受信したＴＶ信号２０９を逐次ＭＰＥＧ２ＴＳデータ１１２に変換しつつ、同時にＤ−ＶＨＳデッキ１０８にＭＰＥＧ２ＴＳデータ１１２を送信するようにしたから、受信したＴＶ信号をＭＰＥＧ２データに変換しつつ、Ｄ−ＶＨＳデッキなど他の１３９４ＡＶ機器に送信できる送信装置を提供できる。また、上述のような機能をプログラム及び／またはデータにより実現することにより、この送信装置に相当する機能を実現可能とするための記録媒体、及び情報集合体を提供することができる。
【００６１】
なお、本発明は、その従来例の問題に相当する問題、即ちフィルタとしてのＭＰＥＧ２スプリッタが入力側に別のフィルタが接続されたときに、所定量のデータを接続されるフィルタに要求するため、直接その入力側に、リアルタイムでデータを出力するフィルタを接続できない、という問題に相当する問題が生じるものであれば、１３９４ＡＶ機器以外であっても適用でき、同様の効果が得られる。
【００６２】
【発明の効果】
以上説明したように、本発明の請求項１ないし請求項１１記載の送信装置によれば、受信ブロックと、送信ブロックとは互いに独立して動作が可能なものとし、前記受信ブロックの動作を開始し、記憶手段に所定量の前記ＭＰＥＧ２プログラムストリームデータがたまった後に、前記送信ブロックの動作を開始するようにしたから、受信したＴＶ放送信号をＭＰＥＧ２データに変換し、Ｄ−ＶＨＳデッキなどのＡＶ機器に送信する送信装置を容易に提供することができる効果がある。
【００６３】
また、本発明の請求項１２に係る記録媒体によれば、請求項１ないし１１のいずれかに記載の送信装置の機能をコンピュータにより実行させるためのプログラム及び／またはデータを担持した記録媒体であって、コンピュータにより処理可能なものとしたから、受信したＴＶ放送信号をＭＰＥＧ２データに変換し、Ｄ−ＶＨＳデッキなどのＡＶ機器に送信する記録媒体を容易に提供することができる効果がある。
【００６４】
また、本発明の請求項１３に係る情報集合体によれば、請求項１ないし１１のいずれかに記載の送信装置の機能をコンピュータにより実行させるためのプログラム及び／またはデータであるものとしたから、受信したＴＶ放送信号をＭＰＥＧ２データに変換し、Ｄ−ＶＨＳデッキなどのＡＶ機器に送信する情報集合体を容易に提供できる効果がある。
【図面の簡単な説明】
【図１】本発明の実施の形態１における送信装置の一例を示す図である。
【図２】本発明の実施の形態２における送信装置の受信ブロックの例を示す図である。
【図３】Ｄ−ＶＨＳデッキにＭＰＥＧ２データを送信するＰＣの例を示す図である。
【図４】ＴＶ放送を受信し、再生するＰＣの例を示す図である。
１０１　ファイル読み出し部
１０２　ＭＰＥＧ２スプリッタ
１０３　ＭＰＥＧ２ＴＳ変換部
１０４　ＩＥＥＥ１３９４送信部
１０５　ハードディスク
１０６　ＩＥＥＥ１３９４バス
１０７　ＰＣ
１０８　Ｄ−ＶＨＳデッキ
１０９　ＭＰＥＧ２ＰＳデータ
１１０　ＭＰＥＧ２ＰＳ映像データ
１１１　ＭＰＥＧ２ＰＳ音声データ
１１２　ＭＰＥＧ２ＴＳデータ
１１３　アイソクロナスデータ
２０１　ＴＶチューナ
２０２　映像取り込み部
２０３　映像再生部
２０４　音声再生部
２０５　ＰＣ
２０６　アンテナ
２０７　モニタ
２０８　スピーカ
２０９　ＴＶ信号
２１０　ＴＶ映像信号
２１１　ＴＶ音声信号
２１２，２１２ａ，２１２ｂ　ビットマップ映像信号
２１３　映像信号
２１４　音声信号
３０１　ＭＰＥＧ２エンコーダ
３０２　ファイル書き込み部
３０３　受信ブロック
３０４　送信ブロック
３０５　サンプリング音声信号
３０６　ＰＣ
３０７　音声取り込み部
４０１　受信ブロック
【図１】
2004023558.tif 000003
【図２】
2004023558.tif 000004
【図３】
2004023558.tif 000005
【図４】
2004023558.tif 000006